(57)【要約】【課題】  医療機関において血液が付着した使用済みの注射針や翼状針を安全に把持しておくことができ、医療行為を阻害することのない注射針把持器具を提供する。【解決手段】  使用済みの医療用注射器又は点滴用の注射針を回収する際に、該注射針を把持する注射針把持器具であって、注射針が刺し込まれる開口１１Ａが形成され、且つ液漏れを防止し得る素材からなる外殻部１１と、外殻部１１の内側で外殻部１１の開口１１Ａに面して露出するように設置され、開口１１Ａから刺し込まれる注射針を保持する軟質の材料で形成された表面層１２と、表面層１２の下側で外殻部１０内に設置され、表面層１２よりも高密度の材料からなる把持層とを具備してなる。【選択図】        図１
0003147284.tif 000002
【実用新案登録請求の範囲】
【請求項１】
使用済みの医療用注射器又は点滴用の注射針を回収する際に、該注射針を把持する注射針把持器具であって、
筐体の一部に、前記注射針が刺し込まれる開口が形成され、且つ液漏れを防止し得る素材からなる外殻部と、
前記外殻部の内側で該外殻部の開口に面して露出するように設置され、該開口から刺し込まれる注射針を保持する軟質の材料で形成された表面層と、
前記表面層の下側で前記外殻部内に設置され、該表面層よりも高密度の材料からなる把持層とを具備したことを特徴とする注射針把持器具。
【請求項２】
前記把持層の下側で前記外殻部内に設置され、注射針の残留物をトラップする吸収層を備えてなることを特徴とする請求項１に記載の注射針把持器具。
【請求項３】
前記表面層の表面に接着剤及び抗菌剤のうち、少なくとも一方を塗布、含浸、又は該表面層の表面に粘着層及び抗菌層のうち、少なくとも一方を設けたことを特徴とする請求項１又は２に記載の注射針把持器具。
【請求項４】
前記外殻部の横方向への移動を防止する両面テープ、ゴム、吸盤等の滑動防止手段を該外殻部に設けたことを特徴とする請求項１〜３に記載の注射針把持器具。
【考案の詳細な説明】
【技術分野】
【０００１】
本考案は、注射針把持器具に係わり、病院の処置室や病室などで、患者に注射を行った後の注射針の付いた注射器を、その先端部分の露出を防止することによって針刺し事故を未然に防止するとともに、注射針に残留する薬液や感染血を外部へ漏出させることのない注射針把持器具に関する。
【背景技術】
【０００２】
医療従事者にとって注射や点滴による薬液の投与、血液などの採取は、日常的に行われる医療行為であり、採血などが終った注射針の取扱いには患者の感染血による医療従事者の感染事故防止の観点から、相応の配慮が要求される。従来、このような注射針や注射器を廃棄するために利用される器具として、特開2003-260094号公報に、「使用済み注射針廃棄用容器」に関する発明が開示されている。同公報記載の発明は、ペットボトルのような容器のふた（蓋体）に、使用済み注射針を取り外すための注射針挿入孔が穿設され、この注射針挿入孔にスリット状の溝部を設けたことを特徴とし、この溝部を利用して注射器に取付けられている注射針を係止させながら、注射器を上方へ引っ張ることによって両者を取り外し、外れた注射針を注射針挿入孔から容器内に落下させて回収するようになっている。
【特許文献１】特開2003-260094号公報
【０００３】
また、特開平7-157002号公報には「医療用注射器廃棄箱」に関する発明が開示されており、同公報には、組み立て可能な収納箱の底面にゴムマットなどの防水素材を収納し、この防水素材に、注射器の注射針を突き刺し、使用済み注射器が所定の数に達した後、収納箱を組み立てて、この収納箱ごと注射器を廃棄することができるというものである。
【特許文献２】特開平7-157002号公報
【０００４】
さらに、特開平11-4857号公報には「点滴用針刺し台」が記載され、発泡プラスチック台に円柱状の穴を設け、この穴に円柱状の発泡プラスチックを差し込み、この円柱状の発泡プラスチックに、点滴用の注射針を差し込んで一旦保管し、廃棄する際は注射針の刺さった円柱状の発泡プラスチックを、そのまま引き抜き、廃棄物として処理することを特徴としている。
【特許文献３】特開平11-4857号号公報
【考案の開示】
【考案が解決しようとする課題】
【０００５】
しかしながら、前述した特開2003-260094号公報（特許文献１）記載の「使用済み注射針廃棄用容器」は、患者への注射が終ると同時に注射針を取り外す動作を余儀なくされ、緊急を要する場合や、細かな作業を迅速に行わなければならない医療従事者にとって使い易いとはいえなかった。このため、医療従事者は使用済みの注射器をトレーなどに針が露出した状態で載置しておくなどの簡便な手法に頼り勝ちとなり、医療行為に当る看護師などが誤って注射針を皮膚に刺してしまうという不慮の針刺し事故が発生する可能性があった。
【０００６】
また、特開平7-157002号公報（特許文献２）の「医療用注射器廃棄箱」は、比較的、容易に廃棄が可能であるという利点を有するものの、注射針を突き刺す素材としてゴムマットが例示されているが、一旦突き刺された注射針が抜けてしまう虞があった。さらに、特開平11-4857号号公報（特許文献３）の「点滴用針刺し台」は、注射針が刺し込まれる部分が発泡プラスチック製であるため、一旦刺し込んだ針が抜け易く、針先が露出する危険性が高いとともに、針を刺す部分が面積の小さな円柱状部分であることから、針を刺すときに思いのほか手間を要する。
【０００７】
本考案は、このような諸事情に対処するために提案されたものであって、医療機関において、血液や体液などが付着した使用済みの注射針や翼状針を、安全に載置することができるとともに、医療行為を阻害することのない使い勝手に優れた注射針把持器具を提供することを目的とする。
【課題を解決するための手段】
【０００８】
上記目的を達成するために、請求項１記載の考案は、使用済みの医療用注射器又は点滴用の注射針を回収する際に、該注射針を把持する注射針把持器具であって、筐体の一部に、前記注射針が刺し込まれる開口が形成され、且つ液漏れを防止し得る素材からなる外殻部と、前記外殻部の内側で該外殻部の開口に面して露出するように設置され、該開口から刺し込まれる注射針を保持する軟質の材料で形成された表面層と、前記表面層の下側で前記外殻部内に設置され、該表面層よりも高密度の材料からなる把持層とを具備したことを特徴とする。
【０００９】
請求項２記載の考案は、請求項１において、前記把持層の下側で前記外殻部内に設置され、注射針の残留物をトラップする吸収層を備えてなることを特徴とする。
【００１０】
請求項３記載の考案は、上記請求項１又は２において、前記表面層の表面に接着剤及び抗菌剤のうち、少なくとも一方を塗布、含浸、又は該表面層の表面に粘着層及び抗菌層のうち、少なくとも一方を設けたことを特徴とする。
【００１１】
請求項４記載の考案は、上記請求項１〜３において、前記外殻部の横方向への移動を防止する両面テープ、ゴム、吸盤等の滑動防止手段を該外殻部に設けたことを特徴とする。
【考案の効果】
【００１２】
上述のように、請求項１記載の考案によれば、刺し込まれる注射針を、軟質の表面層で保持しながら、その下側に設置された高密度の把持層によって針先全体を固く把持するようにしている。このため、使用済みの注射針を有する注射器を安全に保持させておくことが可能となり、医療従事者が誤って注射針を皮膚に刺してしまうといった事故を未然に防止することができる。また、医療従事者の作業負担を大幅に軽減することができる。
【００１３】
特に、請求項２記載の考案によれば、注射針の残留物をトラップする吸収層を備えているので、使用済みの注射針に残留する血液などは外殻部内に閉じ込められるため、外部への漏出、飛散を防止することができ、感染などの被害を確実に防止し得る。
【００１４】
特に、請求項３記載の考案によれば、表面層の表面に接着剤及び抗菌剤のうち、少なくとも一方を塗布、含浸、又は該表面層の表面に粘着層及び抗菌層のうち、少なくとも一方を設けているので、注射器を刺し込んだときに、注射針の根元の部分が、粘着層等の表面に食い付いた状態となり、把持層とも相まって一旦刺し込まれた注射針を含む注射器の不用意な抜け、感染血による感染を未然に防止することが可能である。
【００１５】
特に、請求項４記載の考案によれば、外殻部に、横方向への移動を防止する両面テープ、ゴム、吸盤等の滑動防止手段を設けているので、注射針を刺し込むときに、外殻部全体が不用意に横方向へ移動するのを防ぐことができる。これにより、注射時における一連の動作を円滑に行うことができるようになる。
【考案を実施するための最良の形態】
【００１６】
以下、本考案に係る注射針把持器具の好適な実施形態について、添付図面を参照して説明する。図１は本考案の一つの実施形態に係る注射針把持器具１０を示した斜視図、図２は注射針把持器具１０の内部に充填・設置される表面層１２等を示す分解図である。図１及び図２に示されるように、注射針把持器具１０は、外殻部１１と、その内部に充填・設置された表面層１２、把持層１４、吸収層１６とを具備して構成されている。
【００１７】
筐体となる外殻部１１には注射針が刺し込まれる開口１１Ａが形成され、全体としては略台形状をなし、本実施形態では斜め上方に立ち上げる方向に開口１１Ａが設けられ、この開口１１Ａから注射針を突き刺して注射器を載置するようにし、投薬などの治療行為中における医療従事者の負担を軽減するように配慮されている。また、外殻部１１の材料としては液漏れを防止し得るアクリル、合成樹脂などの素材で形成され、注射針に残留する血液や薬液が外部へ漏出しないようになっている。
【００１８】
図２に示されるように、外殻部１１内に設置される各層は上から順に、表面層１２、把持層１４、吸収層１６であり、真ん中の把持層１４をサンドイッチする形で、上側に表面層１２、下側に吸収層１６が配置される。表面層１２には例えば発泡ウレタンやスポンジなどの軟質材が材料として用いられ、使用済みの注射針を容易に突き刺すし、倒れないように保持させることができるようになっている。把持層１４は、表面層１２よりも密度の細かい発泡ウレタンやスポンジなどが用いられ、表面層１２を突き抜けて下方へと注射針の先端が刺し込まれていく際に、注射針をある程度固く保持し、抜けるのを防止するようになっている。
【００１９】
把持層１４の下側に設置される吸収層１６は、把持層１４よりも密度の粗い軟質材で、注射針に残存している血液や薬液を吸収しやすいスポンジ、ウレタン、高分子吸収体などが用いられ、一旦キャッチした液体を逃がさないようになっている。これらの表面層１２、把持層１４、吸収層１６は、外殻部１１に対し、圧縮するようにして収納設置され、外殻部１１内に隙間なく充填されている。
【００２０】
図３は本実施形態の注射針把持器具１０によって、注射針を有する使用済みの注射器を把持した状態を示した概略斜視図、図４は注射器が刺し込まれた状態を示す一部断面図である。
本実施形態の注射針把持器具１０の実際の使用にさいしては、図３に示されるように、医療行為中の看護師などは外殻部１１の開口１１Ａに一面が露出して設置されている表面層１２に、注射器１８，２０の注射針１８Ａ，２０Ａを刺し込むことによって注射針１８Ａ，２０Ａの針先を確実にガードして外部へ露出させないようにし、医療作業中の安全を確保した状態で載置しておくことができる。
【００２１】
図４に示されるように、外殻部１１内で注射針１８Ａは、まず、表面層１２を貫通するが、表面層１２は柔らかく密度の粗い発泡ウレタンなどを材料としているので、注射針１８Ａは比較的容易に貫通し、把持層１４に達するように導く形となる。把持層１４は、前述したように、密度の細かい発泡ウレタンやスポンジなどであるため、刺し込まれた注射針１８Ａが固く保持され、一旦刺し込まれた注射針１８Ａが抜けるのを防止する。さらに、注射針１８Ａの内部に残留する血液や薬液などの液体は吸収層１６によって吸収され、血液などの残留物は外殻部１１内に閉じ込められ、外部への漏出、飛散を防止することが可能である。
【００２２】
図５は、本実施形態の注射針把持器具１０の表面層１２に粘着層２２を設けた変形例を示した図である。同図に示されるように、図５では、表面層１２には接着剤が塗布されたシートなどからなる粘着層２２を取り付けた点が、前述の実施形態と相違する。粘着層２２を備えることによって注射器における注射針の根元の部分が、粘着層２２の表面に貼り付いた状態となり、前述した把持層１４とも相まって、一旦刺し込まれた注射針を含む注射器が、不用意に抜けてしまうのを防止することができる。なお、図５においては、粘着層２２を別途取り付けているが、これに限らず、表面層１２の表面に直接接着剤を塗布、或いは含浸させてもよい。また、表面層１２の表面に、抗菌剤を塗布しておくことによって感染血による感染の危険を低減可能である。或いは、表面層１２に抗菌層を設けても同様の効果を得ることができる。
【００２３】
図６は、本実施形態の注射針把持器具１０の外殻部１１の底面１１Ｂに、滑動防止手段２４を設けた変形例を示した図である。同図に示されるように、滑動防止手段２４として両面テープ、ゴム、吸盤等が底面１１Ｂに貼付又は取り付けられ、外殻部１１が載置される机などとの摩擦係数を高めることによって、注射針を刺し込んだ際に、外殻部１１が机などの上を横方向に移動することを防止するようになっている。これによって、医療従事者は医療行為に集中することができるので、特に注射を患者に対して行う際に一連の動作を円滑に行うことが可能となり、作業能率の向上に寄与する。
【００２４】
以上説明したように、本実施形態の注射針把持器具によれば、使用済みの注射針を有する注射器を取り付けた状態で安全に保持することができ、医療従事者が誤って注射針を皮膚に刺してしまう事故を未然に防止することができる。また、慌ただしい医療行為を余儀なくされる医療従事者にとって、使用済みの注射器に対する作業負担を大幅に軽減することができるので、医療行為全体の質を高めることにも寄与する。
【００２５】
なお、本実施形態では、注射針把持器具１０の全体的な形状として、直角三角形に近似する略台形状としたが、これに限らず、例えば円柱状や直方体状とするなど、その形状は問わない。
【産業上の利用可能性】
【００２６】
以上説明したように、本考案によれば、使用済みの注射器を安全に載置することができ、医療従事者が誤って注射針を刺してしまうといった事故を未然に防止することができる。また、慌ただしい医療行為を余儀なくされる医療従事者にとって、使用済みの注射器に対する作業負担を大幅に軽減することができるので、医療行為の円滑化の一助となる。
【図面の簡単な説明】
【００２７】
【図１】本考案の一つの実施形態に係る注射針把持器具を示した斜視図である。
【図２】同じく、本考案の一つの実施形態に係る注射針把持器具の内部に充填・設置される表面層等を示す分解図である。
【図３】同じく、本考案の一つの実施形態に係る注射針把持器具によって、注射針を有する使用済みの注射器を把持した状態を示した概略斜視図である。
【図４】同じく、本考案の一つの実施形態に係る注射針把持器具に注射器が刺し込まれた状態を示す一部断面図である。
【図５】同じく、本考案の一つの実施形態に係る注射針把持器具の表面層に粘着層を設けた変形例を示した図である。
【図６】同じく、本考案の一つの実施形態に係る注射針把持器具の外殻部の底面に、滑動防止手段を設けた変形例を示した図である。
【符号の説明】
【００２８】
１０  注射針把持器具
１１   外殻部
１１Ａ  開口
１１Ｂ  底面
１２  表面層
１４  把持層
１６  吸収層
１８  ２０  注射器
１８Ａ  ２０Ａ  注射針
２２  接着層
２４  滑動防止手段
【図１】
0003147284.tif 000003
【図２】
0003147284.tif 000004
【図３】
0003147284.tif 000005
【図４】
0003147284.tif 000006
【図５】
0003147284.tif 000007
【図６】
0003147284.tif 000008
【手続補正書】
【提出日】平成20年10月16日(2008.10.16)
【手続補正１】
【補正対象書類名】実用新案登録請求の範囲
【補正対象項目名】全文
【補正方法】変更
【補正の内容】
【実用新案登録請求の範囲】
【請求項１】
使用済みの医療用注射器又は点滴用の注射針を回収する際に、該注射針を把持する注射針把持器具であって、
筐体の一部に、前記注射針が刺し込まれる開口が形成され、且つ液漏れを防止し得る素材からなる外殻部と、
前記外殻部の内側で該外殻部の開口に面して露出するように設置され、該開口から刺し込まれる注射針を保持する軟質の材料で形成された表面層と、
前記表面層の下側で前記外殻部内に設置され、該表面層よりも高密度の材料からなる把持層とを具備したことを特徴とする注射針把持器具。
【請求項２】
前記把持層の下側で前記外殻部内に設置され、注射針の残留物をトラップする吸収層を備えてなることを特徴とする請求項１に記載の注射針把持器具。
【請求項３】
前記表面層の表面に接着剤及び抗菌剤のうち、少なくとも一方を塗布、含浸、又は該表面層の表面に粘着層及び抗菌層のうち、少なくとも一方を設けたことを特徴とする請求項１又は２に記載の注射針把持器具。
【請求項４】
前記外殻部の横方向への移動を防止する両面テープ、ゴム、吸盤等の滑動防止手段を該外殻部に設けたことを特徴とする請求項１〜３のうち、いずれか１項に記載の注射針把持器具。
【手続補正２】
【補正対象書類名】明細書
【補正対象項目名】００１１
【補正方法】変更
【補正の内容】
【００１１】
請求項４記載の考案は、上記請求項１〜３のうち、いずれか１項において、前記外殻部の横方向への移動を防止する両面テープ、ゴム、吸盤等の滑動防止手段を該外殻部に設けたことを特徴とする。